(57)【要約】【課題】一枚のピックで演奏する音色を使い分けることかできるようにする。【解決手段】全体として多角形をしている。中央に操作部１２がある。この操作部１２から多角形の複数の頂点１４に向かって伸びる複数の爪部１６を有する。爪部１６は、頂点１４に向かって次第にその肉厚を薄くするように成型されている。さらに、複数の爪部１６はそれぞれ頂点１４に向かう方向にみて、異なる断面形状を有する。従って、爪部１６毎に、弦を弾くとき、異なる音色が出る。従って、演奏者は使用する爪部１６を使い分けて、多様な演奏ができる。【選択図】図１
0003156748.tif 000002
【実用新案登録請求の範囲】
【請求項１】
中央の操作部から多角形の複数の頂点に向かって伸びる複数の爪部を有し、
前記爪部は、前記頂点に向かって平坦かもしくは次第にその肉厚を薄くするように成型され、かつ、前記複数の爪部はそれぞれ前記頂点に向かう線に沿って異なる断面形状を有することを特徴とする弦楽器のピック。
【請求項２】
前記多角形はほぼ三角形状であることを特徴とする請求項１に記載の弦楽器のピック。
【請求項３】
前記操作部と前記爪部の境界部分の肉厚が最も厚いことを特徴とする請求項１または２に記載の弦楽器のピック。
【請求項４】
前記操作部の少なくとも一面が砂地面とされていることを特徴とする請求項１乃至３のいずれかに記載の弦楽器のピック。
【請求項５】
前記操作部の砂地面に文字または図形が印刷されていることを特徴とする請求項４に記載の弦楽器のピック。
【請求項６】
全体がプラスチックによる一体モールド成型品からなることを特徴とする請求項１乃至５のいずれかに記載の弦楽器のピック。
【請求項７】
操作部と各爪部の境界部分に、それぞれ多角形の中心から見て非対称の爪識別用突起を設けたことを特徴とする請求項１乃至６のいずれかに記載の弦楽器のピック。
【考案の詳細な説明】
【技術分野】
【０００１】
本考案は、弦楽器の演奏に使用される弦楽器のピックに関する。
【背景技術】
【０００２】
ギター等の弦楽器の演奏には爪状のピックが使用される。例えばギターのピックは三角形状のものが多用されているが、用途に応じて各種の工夫がされている。
【先行技術文献】
【特許文献】
【０００３】
【特許文献１】特開２００７−３６６５号公報
【特許文献２】実開平６−２１０９３号公報
【考案の概要】
【考案が解決しようとする課題】
【０００４】
既知の従来の技術には、次のような解決すべき課題があった。
ピックの持ち方や弦の弾き方で音質を変えることができる。また、ピックの形状や素材により音質を変えることができる。演奏者は、曲想や弦楽器の種類を変えたときには、その演奏に適するピックを新たに選別する。しかしながら、多種のピックを準備しても、演奏中にそれを交換するのは煩わしい。
上記の課題を解決するために、本考案は、一枚のピックで演奏する音色や質感を使い分けることができる、弦楽器のピックを提供することを目的とする。
【課題を解決するための手段】
【０００５】
以下の構成はそれぞれ上記の課題を解決するための手段である。
〈構成１〉
中央の操作部から多角形の複数の頂点に向かって伸びる複数の爪部を有し、前記爪部は、前記頂点に向かって平坦かもしくは次第にその肉厚を薄くするように成型され、かつ、前記複数の爪部はそれぞれ前記頂点に向かう線に沿って異なる断面形状を有することを特徴とする弦楽器のピック。
【０００６】
〈構成２〉
前記多角形はほぼ三角形状であることを特徴とする構成１に記載の弦楽器のピック。
【０００７】
〈構成３〉
前記操作部と前記爪部の境界部分の肉厚が最も厚いことを特徴とする構成１または２に記載の弦楽器のピック。
【０００８】
〈構成４〉
前記操作部の少なくとも一面が砂地面とされていることを特徴とする構成１乃至３のいずれかに記載の弦楽器のピック。
【０００９】
〈構成５〉
前記操作部の砂地面に文字または図形が印刷されていることを特徴とする構成４に記載の弦楽器のピック。
【００１０】
〈構成６〉
全体がプラスチックによる一体モールド成型品からなることを特徴とする構成１乃至５のいずれかに記載の弦楽器のピック。
【００１１】
〈構成７〉
操作部と各爪部の境界部分に、それぞれ多角形の中心から見て非対称の爪識別用突起を設けたことを特徴とする構成１乃至６のいずれかに記載の弦楽器のピック。
【考案の効果】
【００１２】
〈構成１の効果〉
多角形の頂点に複数の爪部を備えており、それぞれ異なる断面形状を有するので、一つのピックを使って、曲想に応じた幅広い音色や質感を実現できる。
〈構成２の効果〉
汎用のギター用ピックと同様の形状にすることができ、違和感を与えない。
〈構成３の効果〉
操作部の周辺部分の肉厚が厚いのでピックを指で掴みやすい。
〈構成４の効果〉
操作部が砂地面とされていると滑り難くて持ち易い。
〈構成５の効果〉
砂地面に印刷をすると、使用しても色が落ちにくい。従って、バンドネームやロゴを印刷できる。
〈構成６の効果〉
一体モールド成型品にすると、複雑な形状のものを量産することができ、従来とさほど変わらない価格で、より価値観のあるピックを提供できる。
〈構成７の効果〉
境界部分に爪識別用突起が設けられていると、ピックを見なくても爪の種類と場所の関係が簡単に区別できる。
【図面の簡単な説明】
【００１３】
【図１】（ａ）は実施例１の弦楽器のピック１０を示す平面図で、（ｂ）はＡ−Ａ横断面図、（ｃ）はＢ−Ｂ横断面図、（ｄ）はＣ−Ｃ横断面図である。
【図２】弦楽器のピック１０の別の実施例を示し、（ａ）は平面図、（ｂ）と（ｃ）とは、それぞれ異なる実施例のＤ−Ｄ横断面図である。
【考案を実施するための形態】
【００１４】
以下、本考案の実施の形態を実施例毎に詳細に説明する。
【実施例１】
【００１５】
図１（ａ）は実施例１の弦楽器のピック１０を示す平面図で、（ｂ）はＡ−Ａ横断面図、（ｃ）はＢ−Ｂ横断面図、（ｄ）はＣ−Ｃ横断面図である。
この実施例の弦楽器のピック１０は、全体としてほぼ正三角形をしており、頂点１３、１４、１５の部分は丸みを帯びている。その中央の部分を操作部１２と呼ぶことにする。この操作部１２から正三角形の頂点１３、１４、１５に向かって伸びる部分を爪部１６，１７，１８と呼ぶことにする。即ち、ピック１０は、頂点１３に向かって伸びる爪部１６と、頂点１４に向かって伸びる爪部１７と、頂点１５に向かって伸びる爪部１８とを備えている。
【００１６】
各爪部１６，１７，１８の頂点１３、１４、１５に向かう方向に沿う横断面図によれば、いずれの爪部１６，１７，１８も、頂点１３、１４、１５に向かって次第にその肉厚を薄くするように成型されている。しかも、図１（ｂ）、（ｃ）、（ｄ）に示すように、複数の爪部１６、１７，１８は、それぞれ頂点１３、１４、１５に向かう線に沿って、異なる断面形状を有している。実施例では、ナイロン製のピックで、爪部１６の肉厚を０．４〜０．７ｍｍ，爪部１７の肉厚を１．５〜２．０ｍｍ，爪部１８の肉厚を０．８〜１．２ｍｍとした。
【００１７】
例えば、図１（ｂ）に示すような肉厚の薄い爪部１６は、比較的クリアな音色を出すことができるから、メロディーラインの演奏に適する。また、図１（ｃ）に示すような肉厚の厚い爪部１７は強度が強いから、例えば、激しいコード演奏に適する。演奏者は、演奏中にピック１０を持ち替えて、使用する爪部を選択して音色を変えることができる。実際に複数のギタリストに試用させてみたところ、十分に効果があることがわかった。
【００１８】
なお、上記の弦楽器のピック１０は、ギター用ピックとして汎用されているものと同様の形状とされている。この全体を、例えば、ボリカーボネートやナイロン樹脂等のプラスチックによる一体モールド成型品とすることができる。従って、複雑な形状のものも量産できる。また、一部の爪部を薄くしても、一体モールド成型されているので全体として十分な強度を保つことができる。しかも、従来品とさほど変わらないコストで生産できる。
【実施例２】
【００１９】
ここで、この実施例では、操作部１２と各爪部１６，１７，１８の境界部分１９に、爪識別用の突起２４を設けた。爪１６と操作部１２の境界部分１９には、突起２４が１個存在する。爪１７と操作部１２の境界部分１９には、突起２４が２個存在する。爪１８と操作部１２の境界部分１９には、突起２４が３個存在する。このように、多角形の中心から見て、境界部分１９に非対称の爪識別用突起を設ければ、ピックを見なくても爪の種類と場所の関係が簡単に区別できる。従って、演奏中にピックを簡単に持ち替えて希望の音色を出すことができる。なお、境界部分１９と呼んでいるのは、操作部１２と各爪部１６，１７，１８の境界の肉厚の厚くなった部分であって、帯状の部分である。突起２４は、境界部分１９の中央に配置されていてもよいし、境界部分１９の側面に接するような場所にあってもよい。突起は点字用のものと同じ程度のものが適する。
【実施例３】
【００２０】
図２は、弦楽器のピック１０の別の実施例を示し、（ａ）は平面図、（ｂ）と（ｃ）とは、それぞれ異なる実施例のＤ−Ｄ横断面図である。
図２（ｂ）に示すように、この弦楽器のピック１０は、操作部１２と爪部１６の境界部分１９の肉厚が最も厚い。操作部１２は全体として境界部分１９よりも少し肉厚が薄くなっている。操作部１２は親指の腹と人差し指の側面とで挟んで使用する。操作部１２を取り囲む境界部分１９が盛り上がっていると、ピックが指先になじみやすく、滑り難いという効果がある。
【００２１】
さらに、境界部分１９を厚くしておくと、図２の（ｂ）と（ｃ）に示すように、爪部１６の断面形状を選択するときの自由度が高くなる。即ち、（ｂ）に示すように、境界部分１９から頂点１３に向かって平坦な肉厚部分を作ったり、（ｃ）に示すように、急激に厚みを減らしたりすることができる。また、平面図から見た頂点の部分の形状を、尖ったものや丸みを帯びたものにすることで、さらに様々な音色の選択が可能になる。
【００２２】
また、この実施例の操作部１２は、操作部１２の両面が砂地面２０とされている。砂地面というのは、全体として小さい凹凸が多数設けられた面のことである。磨りガラスのような面でも、サンドペーパーのような面でも構わない。砂地面２０は、モールド加工時の金型の面の設計により容易に形成できる。砂地面２０は手触りが良くて滑り難いから操作性が良い。しかも、文字や図形を印刷でき、手で触れても印刷が消え難いという特徴がある。例えば、ここに、バンドネームやロゴを印刷するとよい。図の印刷２２は、例えば、演奏者のイニシャルである。
【００２３】
以上のような弦楽器のピック１０は、ギターだけでなく、爪を用いて弾く各種の弦楽器に広く使用することができる。上記の実施例では、全体として正三角形の形状のものとしたが、四角形や星形にすることも可能である。
【符号の説明】
【００２４】
１０  弦楽器のピック
１２  操作部
１３  頂点
１４  頂点
１５  頂点
１６  爪部
１７  爪部
１８  爪部
１９  境界部分
２０  砂地面
２２  印刷
２４  突起
【図１】
0003156748.tif 000003
【図２】
0003156748.tif 000004